Podtech/llm-jp-corpus-v4-ja_patent huggingface dataset:
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
回転軸と、
前記回転軸により駆動されるファンと、
前記ファンを囲うファンケースと、
前記ファンよりも上流側、かつ前記回転軸の径方向における前記ファンケースの周縁よりも内方に配置される航空機用機器と、
前記回転軸の少なくとも一部を収容し、前記ファンケースを支持する筐体と、
前記回転軸と前記ファンとに連結される第１動力伝達部と、
前記第１動力伝達部よりも前記回転軸の径方向内方に配置され、前記回転軸と前記航空機用機器とに連結される第２動力伝達部と、
前記第１動力伝達部と前記第２動力伝達部との間に配置され、前記筐体と前記航空機用機器とを連結して前記航空機用機器を支持する支持部材と、
前記ファンよりも上流側に配置されるノーズコーンと、を備え、
前記航空機用機器は、前記ノーズコーン内に配置される、航空機用エンジン装置。
【請求項２】
前記回転軸と前記第１動力伝達部との間に配置される変速装置をさらに備え、
前記第１動力伝達部は、前記変速装置を介して前記回転軸に連結され、前記回転軸の軸方向に延びる中空部材である、請求項１に記載の航空機用エンジン装置。
【請求項３】
前記変速装置は、前記筐体に固定された非可動部を有し、
前記支持部材は、前記非可動部を介して前記筐体に連結される、請求項２に記載の航空機用エンジン装置。
【請求項４】
前記変速装置は、サンギヤと、前記サンギヤに噛み合う複数のプラネタリギヤと、前記複数のプラネタリギヤに噛み合うリングギヤと、前記複数のプラネタリギヤを回転可能に支持するキャリヤとを有するスター型の遊星歯車機構であり、
前記非可動部は前記キャリヤである、請求項３に記載の航空機用エンジン装置。
【請求項５】
前記変速装置は、前記支持部材が通過する空間を有し、
前記支持部材は、前記空間を通って前記筐体に連結される、請求項２〜４のいずれか１項に記載の航空機用エンジン装置。
【請求項６】
前記第２動力伝達部は、前記回転軸の軸方向に延びる軸部材である、請求項１〜５のいずれか１項に記載の航空機用エンジン装置。
【請求項７】
低圧タービンをさらに備え、
前記回転軸は、前記低圧タービンにより駆動される低圧軸である、請求項１〜６のいずれか１項に記載の航空機用エンジン装置。
【請求項８】
回転軸と、
前記回転軸により駆動されるファンと、
前記ファンを囲うファンケースと、
前記ファンよりも上流側、かつ前記回転軸の径方向における前記ファンケースの周縁よりも内方に配置される航空機用機器と、
前記回転軸の少なくとも一部を収容し、前記ファンケースを支持する筐体と、
前記回転軸と前記ファンとに連結される第１動力伝達部と、
前記第１動力伝達部よりも前記回転軸の径方向内方に配置され、前記回転軸と前記航空機用機器とに連結される第２動力伝達部と、
前記第１動力伝達部と前記第２動力伝達部との間に配置され、前記筐体と前記航空機用機器とを連結して前記航空機用機器を支持する支持部材と、を備え、
前記ノーズコーンの表面に、前記航空機用機器で生じた熱を外気と熱交換するための熱交換器が設けられている、航空機用エンジン装置。
【請求項９】
回転軸と、
前記回転軸により駆動されるファンと、
前記ファンを囲うファンケースと、
前記ファンよりも上流側、かつ前記回転軸の径方向における前記ファンケースの周縁よりも内方に配置される航空機用機器と、
前記回転軸の少なくとも一部を収容し、前記ファンケースを支持する筐体と、
前記回転軸と前記ファンとに連結される第１動力伝達部と、
前記第１動力伝達部よりも前記回転軸の径方向内方に配置され、前記回転軸と前記航空機用機器とに連結される第２動力伝達部と、
前記第１動力伝達部と前記第２動力伝達部との間に配置され、前記筐体と前記航空機用機器とを連結して前記航空機用機器を支持する支持部材と、を備え、
前記航空機用機器が、発電装置である、航空機用エンジン装置。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
金属基板に結合された腐食しにくい被覆材料（１０）であって、前記被覆材料は、
少なくとも１つのジスルフィド基を含んだ２、５‐ジメルカプト‐１、３、４‐チアジアゾールのポリマーであり、水に不溶性である腐食しにくい化合物（１２）、及び
前記金属基板に結合されたジルコニウム系のゾルゲル（１４）
を含み、前記ジルコニウム系のゾルゲルは、前記腐食しにくい化合物のエマルジョンを含む水性ゾル溶液から形成され、
前記腐食しにくい化合物（１２）は、前記ジルコニウム系のゾルゲル（１４）中に含まれる、腐食しにくい被覆材料。
【請求項２】
前記ポリマーは、少なくとも１つのチオール基を含む、請求項１に記載の腐食しにくい被覆材料。
【請求項３】
前記ポリマーは、チオレート基を含む、請求項１に記載の腐食しにくい被覆材料。
【請求項４】
前記腐食しにくい被覆材料は、５、５‐ジチオビス−（１、３、４‐チアジアゾール‐２（３Ｈ）‐チオン）を更に含む、請求項１に記載の腐食しにくい被覆材料。
【請求項５】
金属基板（２０）、及び
前記金属基板に結合された請求項１に記載の腐食しにくい被覆材料（１０）
を備える、積層構造（３０）。
【請求項６】
前記金属基板は、メッキされていないアルミニウム合金である、請求項５に記載の積層構造。
【請求項７】
前記金属基板（２０）の反対側の前記腐食しにくい被覆材料（１０）に結合された有機材料の第２の層（４０）を更に備える、請求項５に記載の積層構造。
【請求項８】
腐食しにくいゾルゲルを生成する方法であって、前記方法は、
有機‐ジルコン酸塩と、少なくとも１つのジスルフィド基を含んだ２、５‐ジメルカプト‐１、３、４‐チアジアゾールのポリマーであり、水に不溶性である腐食しにくい化合物（１２）とを混合して、腐食しにくい化合物のエマルジョンを含む水性ゾル溶液を生成すること、及び
前記水性ゾル溶液をインキュベートして前記腐食しにくいゾルゲルを生成すること
を含む、方法。
【請求項９】
前記混合は、前記水性ゾル溶液中の前記有機‐ジルコン酸塩の重量分率が、少なくとも０．５％かつ最大で５％となるように、混合することを含む、請求項８に記載の方法。
【請求項１０】
前記混合は、前記水性ゾル溶液中の前記腐食しにくい化合物の重量分率が、少なくとも０．１％かつ最大で１０％となるように、混合することを含む、請求項８に記載の方法。
【請求項１１】
前記混合は、効果的な量の前記腐食しにくい化合物（１２）を混合して、金属基板（２０）を、前記腐食しにくいゾルゲルに結合された場合に、５重量％の食塩水の噴霧に２４時間晒された後の著しい腐食から保護することを含む、請求項８に記載の方法。
【請求項１２】
前記混合は、前記有機‐ジルコン酸塩と混合する前に、前記腐食しにくい化合物（１２）を溶媒中で溶解させることを含む、請求項８に記載の方法。
【請求項１３】
前記溶媒は、エーテル、グリコールエーテル、テトラヒドロフラン、Ｎ‐メチル‐２‐ピロリドン、およびジメチルスルホキシドのうちの少なくとも１つを含む、請求項１２に記載の方法。
【請求項１４】
前記混合は、前記腐食しにくい化合物（１２）を粉体として前記有機‐ジルコン酸塩に導入することを含む、請求項８に記載の方法。
【請求項１５】
前記混合は高せん断ミキサを用いて混合することを含む、請求項８に記載の方法。
【請求項１６】
前記ポリマーは、少なくとも１つのチオール基を含む、請求項８に記載の方法。
【請求項１７】
前記腐食しにくいゾルゲルを用いて金属基板を被覆することを更に含む、請求項８に記載の方法。
【請求項１８】
前記金属基板上で前記腐食しにくいゾルゲルを硬化させることを更に含む、請求項１７に記載の方法。
【請求項１９】
前記金属基板上の前記腐食しにくいゾルゲルに有機材料の第２の層（４０）を適用することを更に含む、請求項１７に記載の方法。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
水分散性相変化インク組成物であって、
少なくとも１つのエトキシル部分を有する親水性ワックス、
少なくとも１つのヒドロキシル基を有する低粘度ワックスであって、前記低粘度ワックスが、前記親水性ワックスと混和性である低粘度ワックス、
任意の安定剤、及び、
着色剤であって、前記着色剤が、遮断したい領域における光を吸収するように選択された着色剤を含む、
水分散性相変化インク組成物。
【請求項２】
前記着色剤が、可視域における光を吸収するように選択された着色剤である、請求項１記載の水分散性相変化インク組成物。
【請求項３】
前記着色剤が、紫外域における光を吸収するように選択された着色剤である、請求項１記載の水分散性相変化インク組成物。
【請求項４】
前記着色剤が、紫外域における光を吸収するように選択された黒色染料である、請求項１記載の水分散性相変化インク組成物。
【請求項５】
前記親水性ワックスが、エトキシル化炭化水素ワックス、エトキシル化アルコール並びにそれらの混合物及び組合せからなる群から選択される、請求項１記載の水分散性相変化インク組成物。
【請求項６】
前記低粘度ワックスが、約８０℃から約１２０℃の範囲の温度において、約１から約１５センチポイズの粘度を有するワックスである、請求項１記載の水分散性相変化インク組成物。
【請求項７】
前記低粘度ワックスが、ステアリルアルコール、ベヘニルアルコール並びにそれらの混合物及び組合せからなる群から選択される、請求項１記載の水分散性相変化インク組成物。
【請求項８】
前記安定剤が、芳香族アミン、ヒンダードアミン、フェノール並びにそれらの混合物及び組合せからなる群から選択される、請求項１記載の水分散性相変化インク組成物。
【請求項９】
前記安定剤が芳香族アミンの酸化防止剤である、請求項１記載の水分散性相変化インク組成物。
【請求項１０】
前記着色剤が、染料、顔料並びにそれらの混合物及び組合せからなる群から選択される、請求項１記載の水分散性相変化インク組成物。
【請求項１１】
紫外マスクを形成する、請求項１記載の水分散性相変化インク組成物。
【請求項１２】
水分散性相変化インク組成物を含むインクジェットプリンタのスティック又はペレットであって、
前記水分散性相変化インク組成物が、
少なくとも１つのエトキシル部分を有する親水性ワックス、
少なくとも１つのヒドロキシル基を有する低粘度ワックスであって、前記低粘度ワックスが、前記親水性ワックスと混和性である低粘度ワックス、
任意の安定剤であって、存在する場合、前記任意の安定剤が、芳香族アミン、ヒンダードアミン、フェノール並びにそれらの混合物及び組合せからなる群から選択される安定剤、及び、
着色剤であって、前記着色剤が、遮断したい領域における光を吸収するように選択された着色剤を含む、
インクジェットプリンタのスティック又はペレット。
【請求項１３】
前記着色剤が、可視域又は紫外域における光を吸収するように選択された着色剤である、請求項１２記載のインクジェットプリンタのスティック又はペレット。
【請求項１４】
前記着色剤が、紫外域における光を吸収するように選択された黒色染料である、請求項１２記載のインクジェットプリンタのスティック又はペレット。
【請求項１５】
紫外マスクを形成する、請求項１２記載のインクジェットプリンタのスティック又はペレット。
【請求項１６】
前記親水性ワックスが、エトキシル化炭化水素ワックス、エトキシル化アルコール並びにそれらの混合物及び組合せからなる群から選択される、請求項１２記載のインクジェットプリンタのスティック又はペレット。
【請求項１７】
前記低粘度ワックスが、ステアリルアルコール、ベヘニルアルコール並びにそれらの混合物及び組合せからなる群から選択される、請求項１２記載のインクジェットプリンタのスティック又はペレット。
【請求項１８】
水分散性相変化インク組成物を、スクリーン上に配置された感光性エマルジョンフィルム上に配置して、マスクを形成する工程であって、前記水分散性相変化インク組成物が、少なくとも１つのエトキシル部分を有する親水性ワックス、少なくとも１つのヒドロキシル基を有する低粘度ワックスであって、前記低粘度ワックスが、前記親水性ワックスと混和性である低粘度ワックス、任意の安定剤、及び、着色剤であって、前記着色剤が、遮断したい領域における光を吸収するように選択された着色剤を含む工程、
前記マスクを照射に曝して、ステンシルを形成する工程、及び、
水で洗浄して、前記マスクを除去し、光画像化ステンシルを残す工程を含む、
方法。
【請求項１９】
前記親水性ワックスが、エトキシル化炭化水素ワックス、エトキシル化アルコール並びにそれらの混合物及び組合せからなる群から選択される、請求項１８記載の方法。
【請求項２０】
前記低粘度ワックスが、約８０℃から約１２０℃の範囲の温度において、約１から約１５センチポイズの粘度を有するワックスである、請求項１８記載の方法。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
処理対象のシートを挿し込む挿入部と、
前記挿入部にシートが挿し込まれた状態で当該シートに対してシート処理を実行するシート処理手段と、
前記挿入部に挿し込まれたシートを検出する検出手段と、
前記検出手段がシートを検出し始めてから前記シート処理手段がシート処理を実行するまでの時間を設定する設定手段と、
前記検出手段がシートを検出し始めてから前記設定手段によって設定された時間が経過したことに応じて前記シート処理手段に前記シート処理を実行させる制御手段と、
を備えることを特徴とするシート処理装置。
【請求項２】
前記時間を示す情報をユーザから受け付けるための設定画面を表示部に表示する表示手段を更に備え、
前記設定手段は、前記設定画面を介して受け付けた情報に基づいて前記時間を設定することを特徴とする請求項１に記載のシート処理装置。
【請求項３】
前記シート処理の実行指示をユーザから受け付ける受付手段を更に備え、
前記制御手段は、前記検出手段がシートを検出した後、前記設定手段によって設定された時間が経過する前に前記受付手段が前記実行指示を受け付ければ、当該実行指示の受け付けに応じて前記シート処理手段に前記シート処理を実行させ、前記受付手段が前記実行指示を受け付けなければ、前記設定手段によって設定された時間が経過したことに応じて前記シート処理手段に前記シート処理を実行させることを特徴とする請求項１または２に記載のシート処理装置。
【請求項４】
前記実行指示の受け付けに応じたシート処理の実行が無効に設定されている場合は、前記制御手段は、前記検出手段がシートを検出したことに応じて、前記設定手段によって設定された時間が経過するのを待たずに前記シート処理手段に前記シート処理を実行させることを特徴とする請求項３に記載のシート処理装置。
【請求項５】
前記設定手段は、前記検出手段がシートを検出し始めてから前記シート処理手段がシート処理を実行するまでの時間として第１の時間と第２の時間を設定可能であり、
前記制御手段は、前記実行指示の受け付けに応じたシート処理の実行が有効に設定されている場合は、前記検出手段がシートを検出し始めてから前記第１の時間が経過したことに応じて前記シート処理手段に前記シート処理を実行させ、前記実行指示の受け付けに応じたシート処理の実行が無効に設定されている場合は、前記検出手段がシートを検出し始めてから前記第２の時間が経過したことに応じて前記シート処理手段に前記シート処理を実行させることを特徴とする請求項３に記載のシート処理装置。
【請求項６】
前記シート処理は、複数枚のシートを綴じるステイプル処理であることを特徴とする請求項１乃至５のいずれか１項に記載のシート処理装置。
【請求項７】
前記シート処理装置は、印刷装置に接続され、当該印刷装置による印刷を伴うシート処理及び当該印刷装置による印刷を伴わないシート処理を実行可能であることを特徴とする請求項１乃至６のいずれか１項に記載のシート処理装置。
【請求項８】
処理対象のシートを挿し込む挿入部と、前記挿入部にシートが挿し込まれた状態で当該シートに対してシート処理を実行するシート処理手段と、を備えるシート処理装置の制御方法であって、
前記挿入部に挿し込まれたシートを検出する検出工程と、
前記検出工程でシートを検出し始めてから前記シート処理手段がシート処理を実行するまでの時間を設定する設定工程と、
前記検出工程でシートを検出し始めてから前記設定工程で設定された時間が経過したことに応じて前記シート処理手段に前記シート処理を実行させる制御工程と、
を有することを特徴とするシート処理装置の制御方法。
【請求項９】
請求項８に記載のシート処理装置の制御方法をコンピュータに実行させるためのプログラム。
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
酸化物基準のモル％で、
Ｂ２Ｏ３成分を２５．０％以上７０．０％以下、
Ｌｎ２Ｏ３成分を３．０％以上２０．０％以下（式中、ＬｎはＬａ、Ｇｄ、Ｙ、Ｙｂからなる群より選択される１種以上）
含有し、
Ｔａ２Ｏ５成分の含有量が５．０％未満であり、
１．６０以上１．８０以下の屈折率（ｎｄ）を有し、４０以上６０以下のアッベ数（νｄ）を有する光学ガラス。
【請求項２】
酸化物基準のモル％で、
Ｌａ２Ｏ３成分  ０〜２０．０％、
ＳｉＯ２成分  ０〜２０．０％、
Ｌｉ２Ｏ成分  ０〜２０．０％、
ＺｎＯ成分  ０〜２５．０％、
ＺｒＯ２成分  ０〜１０．０％、
Ｇｄ２Ｏ３成分  ０〜１０．０％、
Ｙ２Ｏ３成分  ０〜１５．０％、
Ｙｂ２Ｏ３成分  ０〜１０．０％、
Ｎａ２Ｏ成分  ０〜１０．０％、
Ｋ２Ｏ成分  ０〜１０．０％、
ＭｇＯ成分  ０〜１０．０％、
ＣａＯ成分  ０〜１０．０％、
ＳｒＯ成分  ０〜１０．０％、
ＢａＯ成分  ０〜１０．０％、
ＴｉＯ２成分  ０〜２０．０％、
Ｎｂ２Ｏ５成分  ０〜１５．０％、
ＷＯ３成分  ０〜１０．０％、
Ｐ２Ｏ５成分  ０〜１５．０％、
ＧｅＯ２成分  ０〜１５．０％、
Ａｌ２Ｏ３成分  ０〜１５．０％、
Ｇａ２Ｏ３成分  ０〜１５．０％、
Ｂｉ２Ｏ３成分  ０〜１０．０％、
ＴｅＯ２成分  ０〜１５．０％、
ＳｎＯ２成分  ０〜５．０％及び
Ｓｂ２Ｏ３成分  ０〜１．０％
である請求項１記載の光学ガラス。
【請求項３】
酸化物基準のモル比ＺｎＯ／（ＺｎＯ＋ＲＯ）が０．５０以上である請求項１又は２記載の光学ガラス（式中、ＲはＭｇ、Ｃａ、Ｓｒ、Ｂａからなる群より選択される１種以上）。
【請求項４】
請求項１から３のいずれか記載の光学ガラスからなる光学素子。
【請求項５】
請求項１から３いずれか記載の光学ガラスからなる研磨加工用及び／又は精密プレス成形用のプリフォーム。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
イリジウムと、前記イリジウムとシクロメタル化している複数の配位子とを有する有機金属イリジウム錯体であり、
前記複数の配位子は、いずれも前記イリジウムに配位する窒素原子を含む複素芳香環を有し、
前記有機金属イリジウム錯体のＬＣ分析において、前記複数の配位子のうちの一つがモノクロロ化されてなる配位子を含む有機金属イリジウム錯体を不純物として検出したとき、
前記不純物は、ＰＤＡ検出器による面積百分率法の定量において、０．１％以下である有機金属イリジウム錯体。
【請求項２】
イリジウムと、前記イリジウムとシクロメタル化している複数の配位子とを有する有機金属イリジウム錯体であり、
前記複数の配位子は、いずれも前記イリジウムに配位する窒素原子を含む複素芳香環を有し、
前記有機金属イリジウム錯体のＬＣ−ＭＳ分析において、前記有機金属イリジウム錯体の質量数＋３５±１となる質量電荷比として検出される不純物は、ＰＤＡ検出器による面積百分率法の定量において、０．１％以下である有機金属イリジウム錯体。
【請求項３】
請求項１または請求項２に記載の有機金属イリジウム錯体を有する発光素子。
【請求項４】
一対の電極間にＥＬ層を有し、
前記ＥＬ層は、請求項１または請求項２に記載の有機金属イリジウム錯体を有する発光素子。
【請求項５】
請求項３または請求項４に記載の発光素子と、
トランジスタ、または、基板と、
を有する発光装置。
【請求項６】
請求項５に記載の発光装置と、
マイク、カメラ、操作用ボタン、外部接続部、または、スピーカと、
を有する電子機器。
【請求項７】
請求項５に記載の発光装置と、
筐体、カバー、または、支持台を有する照明装置。
【請求項８】
イリジウムと塩素との原子数の割合が、イリジウム１に対し、塩素が３．１未満、２．５以上である塩化イリジウム水和物と、配位子とを用いる有機金属イリジウム錯体の合成方法。
【請求項９】
イリジウムと塩素との原子数の割合が、イリジウム１に対し、塩素が３．０未満、２．５以上である塩化イリジウム水和物と、配位子とを用いる有機金属イリジウム錯体の合成方法。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
側面にピストンリングが嵌入するリング嵌入溝が形成されたピストン本体を備え、
前記ピストン本体は、一端が前記リング嵌入溝内に開口されるとともに、他端が前記ピストン本体の壁体の内、前記ピストンに接続されるコンロッドが配置される空間を形成する壁面とは異なる壁面に開口されたオイル通路を有する、
ピストン。
【請求項２】
前記ピストン本体は、前記壁体として、前記リング嵌入溝より下方に延出するとともに、前記リング嵌入溝より内側に凹んだサイドウォールを有し、
前記異なる壁面は前記サイドウォールに相対した壁面である、
請求項１に記載のピストン。
【手続補正２】
【補正対象書類名】明細書
【補正対象項目名】００１３
【補正方法】変更
【補正の内容】
【００１３】
上記の目的を達成するために、本発明の第１の側面は、側面にピストンリングが嵌入するリング嵌入溝が形成されたピストン本体を備え、前記ピストン本体は、一端が前記リング嵌入溝内に開口されるとともに、他端が前記ピストン本体の壁体の内、前記ピストンに接続されるコンロッドが配置される空間を形成する壁面とは異なる壁面に開口されたオイル通路を有する、ピストンである。
【手続補正３】
【補正対象書類名】明細書
【補正対象項目名】００１４
【補正方法】変更
【補正の内容】
【００１４】
なお、本発明は、他の側面として、前記ピストン本体は、前記壁体として、前記リング嵌入溝より下方に延出するとともに、前記リング嵌入溝より内側に凹んだサイドウォールを有し、前記異なる壁面は前記サイドウォールに相対した壁面であってもよい。
【手続補正４】
【補正対象書類名】明細書
【補正対象項目名】００３８
【補正方法】変更
【補正の内容】
【００３８】
以上のように、本発明のピストンは、側面にピストンリングが嵌入するリング嵌入溝が形成されたピストン本体を備え、前記ピストン本体は、一端が前記リング嵌入溝内に開口されるとともに、他端が前記ピストン本体の壁体の内、前記ピストンに接続されるコンロッドが配置される空間を形成する壁面とは異なる壁面に開口されたオイル通路を有するものであればよく、その他の具体的な目的、用途、構成によって限定されるものではない。
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
沈降速度の違いにより、細粒物と当該細粒物よりも小さい微粒子との混合物から前記微粒子を除去するための微粒子除去装置であって、
前記混合物および液体を受け入れて、前記細粒物を沈降せしめる沈降槽と、
前記沈降槽へ前記混合物および液体を流入するための流入部と、
前記沈降槽に形成され、前記微粒子を含んだ上澄み液を排出する上澄み排出部と、
水平軸周りに回転し、下側部分が前記沈降槽に貯えられる液体に没するように設けられ、外周に沿って環状に配置された複数の外側排出型のバケット部を有するバケット車と、
前記複数のバケット部のそれぞれに形成された水切り孔と、を備え、
前記流入部は、前記バケット部が液面から外に出る位置の付近に設けられ、前記上澄み排出部は、少なくとも前記バケット部が液面に入る位置の付近に設けられることを特徴とする微粒子除去装置。
【請求項２】
請求項１記載の装置において、前記バケット車の回転速度は、毎分０．１回転以上、１．０回転未満であることを特徴とする微粒子除去装置。
【請求項３】
請求項１または２記載の装置において、液面から外に出た前記バケット部の内部に向けて液体を散布する散布手段を備える、ことを特徴とする微粒子除去装置。
【請求項４】
請求項１から３のいずれかに記載の装置において、
前記バケット車は、該バケット車の直径Ｄに比例した数ｎ（個／列）のバケット部を列ごとに有し、
前記バケット部の列ごとの数ｎは、必要な前記細粒物の回収量をＡ（ｋｇ／分）として、以下の式を満たす値に設定されていることを特徴とする微粒子除去装置。
ｗ×ｎ×Ｔ×Ｎ  ≧  Ａ
ここで、ｗは、バケット部１個あたりの細粒物の排出量（ｋｇ／個）、
Ｔは、環状に並んだ複数のバケット部の列数（列）、
ｎは、１列あたりのバケット部の数（個／列）、
Ｎは、回転速度（回転／分）。
【請求項５】
請求項１から４のいずれかに記載の装置において、
前記バケット車を一定速度で回転駆動させるとともに、当該バケット車の速度設定値を変更可能な制御手段を備えることを特徴とする微粒子除去装置。
【手続補正２】
【補正対象書類名】明細書
【補正対象項目名】０００７
【補正方法】変更
【補正の内容】
【０００７】
すなわち、本発明の微粒子除去装置は、沈降速度の違いにより、細粒物と当該細粒物よりも小さい微粒子との混合物から前記微粒子を除去するための微粒子除去装置であって、
前記混合物および液体を受け入れて、前記細粒物を沈降せしめる沈降槽と、
前記沈降槽へ前記混合物および液体を流入するための流入部と、
前記沈降槽に形成され、前記微粒子を含んだ上澄み液を排出する上澄み排出部と、
水平軸周りに回転し、下側部分が前記沈降槽に貯えられる液体に没するように設けられ、外周に沿って環状に配置された複数のバケット部を有するバケット車と、
前記複数のバケット部のそれぞれに形成された水切り孔と、を備え、
前記流入部は、前記バケット部が液面から外に出る位置の付近に設けられ、前記上澄み排出部は、少なくとも前記バケット部が液面に入る位置の付近に設けられることを特徴とする。
【手続補正書】
【提出日】平成30年7月10日(2018.7.10)
【手続補正１】
【補正対象書類名】明細書
【補正対象項目名】００４７
【補正方法】変更
【補正の内容】
【００４７】
図７は、実施例に係る吐出制御プログラムおよび塗布制御プログラムが有する各モジュールを例示する構成図である。塗布制御プログラムは、例えば、次のタイミングで攪拌動作指令を吐出制御プログラムに送信する。
（ａ）ワークの搬入・搬出の開始時
（ｂ）吐出を伴わない吐出装置のＸＹＺ移動時（例えば、待機位置から塗布開始位置への移動時）
（ｃ）最後の吐出動作指令または攪拌動作指令から一定時間（例えば、予めの計測により設定された粒子沈降の問題が生じる時間）が経過し、かつ、吐出動作指令および攪拌動作指令が出されていない時
上記（ｃ）を実現するにあたっては、塗布制御装置５７に一定時間の経過を検知するタイマーを設け、タイマーが一定時間の経過を検知した場合に一又は複数回の攪拌動作を実行するようにプログラムしてもよい（このタイマーは、ハードウェアまたはソフトウェアにより実現される。）。
【手続補正２】
【補正対象書類名】明細書
【補正対象項目名】発明の名称
【補正方法】変更
【補正の内容】
【発明の名称】固体粒子を含有する液体材料の吐出装置および塗布装置並びに塗布方法
【手続補正３】
【補正対象書類名】図面
【補正対象項目名】図７
【補正方法】変更
【補正の内容】
【図７】
2017023958.tif 000001
【手続補正書】
【提出日】平成30年7月10日(2018.7.10)
【手続補正１】
【補正対象書類名】特許請求の範囲
【補正対象項目名】請求項１０
【補正方法】変更
【補正の内容】
【請求項１０】
さらに、前記圧力制御弁、前記吐出弁、前記リーク機構、および、前記制御装置を収納する筐体を備え、
前記筐体が、前記圧縮気体源と連通する配管が着脱される第一の継手、前記貯留容器と連通する配管が着脱される第二の継手を備えることを特徴とする請求項１ないし９のいずれかに記載の液体材料吐出装置。
【手続補正２】
【補正対象書類名】明細書
【補正対象項目名】００１２
【補正方法】変更
【補正の内容】
【００１２】
上記の液体材料吐出装置において、前記リーク機構が、前記制御装置により流量を可変できる流量制御弁を備えて構成されることを特徴としてもよい。
上記の液体材料吐出装置において、前記圧力制御弁が、前記制御装置により動作を制御される電空レギュレータであることを特徴としてもよい。
上記の液体材料吐出装置において、さらに、前記圧力制御弁、前記吐出弁、前記リーク機構、および、前記制御装置を収納する筐体を備え、前記筐体が、前記圧縮気体源と連通する配管が着脱される第一の継手、前記貯留容器と連通する配管が着脱される第二の継手を備えることを特徴としてもよい。
上記の液体材料吐出装置において、前記リーク機構が、前記第三の配管の終端に接続された負荷増強用バキューム機構を備えることを特徴としてもよい。
上記の液体材料吐出装置において、前記吐出弁内の流路に負圧を生じさせる吐出弁用バキューム機構を備えることを特徴としてもよい。
上記の液体材料吐出装置において、前記第一の配管に設けられたバッファタンクを備えることを特徴としてもよい。
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示に関する情報を保留情報として記憶可能な保留記憶手段と、
可変表示に対応した画像を表示可能な表示手段とを備え、
前記表示手段は、可変表示に対応した画像を共通態様により表示した後に、期待度に応じて、第１可変表示に対する第１演出、または第２可変表示に対する第２演出を実行可能であることを特徴とする遊技機。
【手続補正２】
【補正対象書類名】明細書
【補正対象項目名】０００６
【補正方法】変更
【補正の内容】
【０００６】
（１）上記目的を達成するため、本発明の一態様による遊技機は、可変表示を行い、遊技者にとって有利な有利状態（例えば、大当り遊技状態等）に制御可能な遊技機（例えば、パチンコ遊技機１等）であって、未だ開始されていない可変表示に関する情報を保留情報として記憶可能な保留記憶手段（例えば、図１１に示した第１特図保留記憶部１５１Ａ、第２特図保留記憶部１５１Ｂや、図２１に示した第１始動入賞時コマンドバッファ１９４Ａ、第２始動入賞時コマンドバッファ１９４Ｂ等）と、可変表示に対応した画像（例えば、画像５Ｂ、コンテナＣＡ等）を表示可能な表示手段（例えば、画像表示装置５等）とを備え、前記表示手段は、可変表示に対応した画像を共通態様（例えば、コンテナＣＡ）により表示した後に、期待度に応じて、第１可変表示（例えば、実行中の可変表示（当該変動）等）に対する第１演出（例えば、テキストアイコンによる演出等）、または第２可変表示（例えば、スーパーリーチとなる通常保留に対応する可変表示等）に対する第２演出（例えば、戦闘機アイコンによる演出）を実行可能であることを特徴とする。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
遊技を行い遊技者にとって有利な有利状態に制御可能な遊技機であって、
報知演出を実行する報知演出実行手段
を備え、
前記報知演出実行手段は、前記報知演出として、前記有利状態中の特定期間において獲得した価値の大きさを報知する第１報知と、特別期間において獲得した価値の大きさを報知する第２報知とを実行可能であり、
前記第２報知よりも前記第１報知の優先度合いが高い
ことを特徴とする遊技機。
【手続補正２】
【補正対象書類名】明細書
【補正対象項目名】０００７
【補正方法】変更
【補正の内容】
【０００７】
（１）上記目的を達成するため、本願発明に係る遊技機は、遊技を行い遊技者にとって有利な有利状態に制御可能な遊技機（例えばパチンコ遊技機１、パチスロ機等）であって、報知演出を実行する報知演出実行手段（例えば賞球数報知演出、獲得枚数報知演出、累積賞球数報知演出、累積獲得枚数報知演出、確変確定報知演出、連チャン回数報知、大当り中楽曲名報知、右打ち報知、エラー報知、大当り中昇格演出を実行する演出制御用ＣＰＵ１２０等）を備え、前記報知演出実行手段は、前記報知演出として、前記有利状態中の特定期間において獲得した価値の大きさを報知する第１報知（例えば大当り中に賞球として払い出された賞球数を報知する賞球数報知演出等）と、特別期間において獲得した価値の大きさを報知する第２報知（例えば連チャン中における大当り中に賞球として払い出された賞球数を報知する賞球数報知演出等）とを実行可能であり、前記第２報知よりも前記第１報知の優先度合いが高い（例えば図２２の累積賞球数報知演出動作制御処理におけるステップＳ３９７の処理にて、賞球数報知演出が実行中である場合には、累積賞球数報知演出は実行されないこと等）。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
コンピュータに対して、
ユーザのゲームパラメータを更新する効果を発揮する効果オブジェクトを含む複数種類のオブジェクトをゲーム空間に配置する第１ステップと、
前記ゲーム空間に配置されている効果オブジェクトのうちユーザに関連付けられている効果オブジェクトによる効果に応じて、当該ユーザのゲームパラメータを更新する第２ステップと、
特定条件が成立することにより、前記ユーザに関連付けて前記ゲーム空間に配置されている効果オブジェクトのうち所定の効果オブジェクトについての配置を維持したまま、当該所定の効果オブジェクトによっては当該ユーザのゲームパラメータが更新されない更新不可能な状態に制御する第３ステップと、
を実行させるゲームプログラム。
【請求項２】
前記第３ステップは、前記ユーザと前記所定の効果オブジェクトとの関連付けを解除することにより、前記更新不可能な状態に制御する、請求項１に記載のゲームプログラム。
【請求項３】
前記コンピュータに対して、
所定条件が成立することにより、前記ゲーム空間に配置されている効果オブジェクトのうち当該ユーザのゲームパラメータを更新するように関連付けられていない所定の効果オブジェクトについての配置を維持したまま、当該所定の効果オブジェクトを当該ユーザに関連付けることにより、当該効果オブジェクトによる効果に応じて当該ユーザのゲームパラメータを更新可能な状態に制御する第４ステップを実行させる、請求項１または請求項２に記載のゲームプログラム。
【請求項４】
前記コンピュータに対して、
前記第３ステップにより前記ユーザのゲームパラメータが更新されない更新不可能な状態に制御されている所定の効果オブジェクトを特定するための特定用画像を表示する第５ステップを実行させる、請求項１〜請求項３のいずれかに記載のゲームプログラム。
【請求項５】
前記所定の効果オブジェクトは、建物オブジェクトであり、
前記特定条件は、前記建物オブジェクトに対する害を被ることにより成立する条件を含む、請求項１〜請求項４に記載のゲームプログラム。
【手続補正２】
【補正対象書類名】明細書
【補正対象項目名】０００６
【補正方法】変更
【補正の内容】
【０００６】
本発明によれば、コンピュータに対して、ユーザのゲームパラメータを更新する効果を発揮する効果オブジェクトを含む複数種類のオブジェクトをゲーム空間に配置する第１ステップと、ゲーム空間に配置されている効果オブジェクトのうちユーザに関連付けられている効果オブジェクトによる効果に応じて、当該ユーザのゲームパラメータを更新する第２ステップと、特定条件が成立することにより、ユーザに関連付けてゲーム空間に配置されている効果オブジェクトのうち所定の効果オブジェクトについての配置を維持したまま、当該所定の効果オブジェクトによっては当該ユーザのゲームパラメータが更新されない更新不可能な状態に制御する第３ステップと、を実行させるゲームプログラムが得られる。
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
インパクトにおけるゴルフクラブの打撃部の入射角と、
前記インパクトにおける前記ゴルフクラブの打撃部の傾きと、
の関係に基づいて、ゴルフスイングのレベルを算出するレベル算出部を含む、スイング診断装置。
【請求項２】
請求項１において、
前記打撃部の入射角は、
前記打撃部が打球点を通過する方向と、
打球の目標方向と、
のなす角である、スイング診断装置。
【請求項３】
請求項１又は２において、
前記打撃部の傾きは、
平面視で、
前記打撃部の打撃面の外縁と、
前記打球の目標方向と直交する仮想直線と、
のなす角と、
前記入射角と、
の差分である、スイング診断装置。
【請求項４】
請求項１乃至３のいずれか一項において、
前記レベル算出部は、
前記関係に基づいて予測される打球が曲がりやすいほど低いレベルを算出する、スイング診断装置。
【請求項５】
請求項１乃至４のいずれか一項において、
前記レベル算出部は、
前記インパクトにおける前記打撃部の速度に基づいて、前記レベルを算出する、スイング診断装置。
【請求項６】
請求項５において、
前記レベル算出部は、
前記速度が小さいほど低いレベルを算出する、スイング診断装置。
【請求項７】
請求項１乃至６のいずれか一項において、
前記レベル算出部が算出したレベルを表示する表示部を含む、スイング診断装置。
【請求項８】
請求項１乃至７のいずれか一項において、
前記レベルは点数である、スイング診断装置。
【請求項９】
請求項１乃至８のいずれか一項に記載のスイング診断装置と、
慣性センサーと、
を含み、
前記レベル算出部は、
前記慣性センサーの出力に基づいてレベルを算出する、スイング診断システム。
【請求項１０】
インパクトにおけるゴルフクラブの打撃部の入射角と、前記インパクトにおける前記ゴルフクラブの打撃部の傾きとの関係に基づいて、ゴルフスイングのレベルを算出する手順を含む、スイング診断方法。
【請求項１１】
インパクトにおけるゴルフクラブの打撃部の入射角と、前記インパクトにおける前記ゴルフクラブの打撃部の傾きとの関係に基づいて、ゴルフスイングのレベルを算出する手順をコンピューターに実行させる、スイング診断プログラム。
【請求項１２】
インパクトにおけるゴルフクラブの打撃部の入射角と、前記インパクトにおける前記ゴルフクラブの打撃部の傾きとの関係に基づいて、ゴルフスイングのレベルを算出する手順をコンピューターに実行させるスイング診断プログラムを記録した、記録媒体。
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ゴルフクラブのシャフトの長手方向を回転軸として、バックスイングの開始時からインパクトまでの所定のタイミングにおける前記シャフトの前記回転軸回りの回転角と、
前記インパクトにおける前記ゴルフクラブの打撃部の傾きと、
の関係に基づいて、ゴルフスイングのレベルを算出するレベル算出部を含む、スイング診断装置。
【請求項２】
請求項１において、
前記回転角は、前記バックスイングの開始時から前記所定のタイミングまでに前記シャフトが前記回転軸回りに回転した角度である、スイング診断装置。
【請求項３】
請求項１又は２において、
前記所定のタイミングは、前記バックスイングからダウンスイングに移行するときである、スイング診断装置。
【請求項４】
請求項１乃至３のいずれか一項において、
前記打撃部の傾きは、
平面視で、
前記打撃部の打撃面の外縁と、
前記打球の目標方向と直交する仮想直線と、
のなす角である、スイング診断装置。
【請求項５】
請求項１乃至４のいずれか一項において、
前記レベル算出部は、
前記関係に基づいて予測される打球が曲がりやすいほど低い点数を算出する、スイング診断装置。
【請求項６】
請求項１乃至５のいずれか一項において、
前記レベル算出部は、
前記インパクトにおける前記打撃部の速度に基づいて、レベルを算出する、スイング診
断装置。
【請求項７】
請求項６において、
前記レベル算出部は、
前記速度が小さいほど低いレベルを算出する、スイング診断装置。
【請求項８】
請求項１乃至７のいずれか一項において、
前記レベル算出部が算出したレベルを表示する表示部を含む、スイング診断装置。
【請求項９】
請求項１乃至８のいずれか一項において、
前記レベルは点数である、スイング診断装置。
【請求項１０】
請求項１乃至９のいずれか一項に記載のスイング診断装置と、
慣性センサーと、を含み、
前記レベル算出部は、
前記慣性センサーの出力に基づいてレベルを算出する、スイング診断システム。
【請求項１１】
ゴルフクラブのシャフトの長手方向を回転軸として、バックスイングの開始時からインパクトまでの所定のタイミングにおける前記シャフトの前記回転軸回りの回転角と、前記インパクトにおける前記ゴルフクラブの打撃部の傾きとの関係に基づいて、ゴルフスイングのレベルを算出する手順を含む、スイング診断方法。
【請求項１２】
ゴルフクラブのシャフトの長手方向を回転軸として、バックスイングの開始時からインパクトまでの所定のタイミングにおける前記シャフトの前記回転軸回りの回転角と、前記インパクトにおける前記ゴルフクラブの打撃部の傾きとの関係に基づいて、ゴルフスイングのレベルを算出する手順をコンピューターに実行させる、スイング診断プログラム。
【請求項１３】
ゴルフクラブのシャフトの長手方向を回転軸として、バックスイングの開始時からインパクトまでの所定のタイミングにおける前記シャフトの前記回転軸回りの回転角と、前記インパクトにおける前記ゴルフクラブの打撃部の傾きとの関係に基づいて、ゴルフスイングのレベルを算出する手順をコンピューターに実行させるスイング診断プログラムを記録した、記録媒体。
【手続補正書】
【提出日】平成30年7月30日(2018.7.30)
【手続補正１】
【補正対象書類名】特許請求の範囲
【補正対象項目名】請求項９
【補正方法】変更
【補正の内容】
【請求項９】
前記内部支持体の上端が、剛性を有する支持部材によって固定されていることを特徴とする請求項８に記載の攪拌装置。
【手続補正２】
【補正対象書類名】明細書
【補正対象項目名】００７４
【補正方法】変更
【補正の内容】
【００７４】
バッフル５Ｆは、可撓性バッグ１と同様に合成樹脂によって可撓性を持って形成される。具体的には、バッフル５Ｆは、可撓性バッグ１と同種の合成樹脂で形成してもよいし、折り畳み可能な可撓性を有しつつも可撓性バッグ１よりも剛性が高い合成樹脂で形成してもよい。また、可撓性バッグ１よりも厚さを持って形成してもよい。バッフル５Ｆの板状部５Ｆ１（流動遮断部）は、可撓性バッグ１の頂部から垂下し、培養液の旋回流の流れを遮るように設けられている。一方、有孔部（連結部）５Ｆ２は、通液孔２８が設けられることによって培養液の旋回流を通流可能に板状部５Ｆ１の下端に連ねられている。なお、通液孔２８の形状は、矩形状、正方形状、円形状、楕円形状等の適宜の形状に設けることが可能である。また、通液孔２８は、適宜の個数で設けることが可能である。
【手続補正３】
【補正対象書類名】明細書
【補正対象項目名】００８５
【補正方法】変更
【補正の内容】
【００８５】
固定板３０は、バッフル５Ｈと同様に、可撓性バッグ１と同種の合成樹脂で形成してもよいし、折り畳み可能な可撓性を有しつつも可撓性バッグ１よりも剛性が高い合成樹脂で形成してもよい。固定板３０は、図１０（ｂ）に示すように、バッフル５Ｈに対して垂直に設置されることによって培養液の旋回流を通流可能にバッフル５Ｈの下端に連ねられている。バッフル５Ｈは、培養液の旋回流の流れ方向に対して垂直に配置されているため、培養液の旋回流を遮り、旋回流を上下循環流に変換する。これに対して、固定板３０は、旋回流の流れ方向に対して平行に備えられるため、旋回流の流速を大きく妨げることは無い。
【手続補正４】
【補正対象書類名】明細書
【補正対象項目名】００８８
【補正方法】変更
【補正の内容】
【００８８】
以上、本発明の実施形態に係る攪拌装置の例を説明したが、本発明はこれらの具体的な形態に限定されるものではない。例えば、前記の実施形態のそれぞれにおける構成を相互に組み合わせて攪拌装置を構成することが可能である。バッフルは、上部側が、液体の旋回流を遮るように設けられ、下部側が、液体の旋回流の通流を遮らないように設けられていれば、所定の攪拌速度における旋回流で、相対的に強い上下循環流を発生せしめることが可能である。
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
高力価のE型肝炎ウイルス(HEV)を産生する方法であって、
a) 約1μg/ml〜約5μg/mlの濃度のポリブレンを含む培地においてインビトロで細胞株を培養する工程であって、前記細胞株が、ATCC番号  HB-8065で寄託されたHepG2又はATCC番号  CRL-10741で寄託されたHepG2/C3Aである、工程、及び
b)細胞株にHEVを感染させる工程
を含む方法。
【請求項２】
HEVの高力価が、約108コピー/mL〜約1010コピー/mLである、請求項1に記載の方法。
【請求項３】
HEVの高力価が、約107コピー/mL〜約1010コピー/mLである、請求項1に記載の方法。
【請求項４】
工程b)のHEV感染細胞株を、約1μg/mL〜約5μg/mLの濃度のポリブレンを含む培養培地において継代する工程をさらに含む、請求項1に記載の方法。
【請求項５】
培地及び/又は感染細胞において得られるHEVの高力価が、約108コピー/mL〜約1010コピー/mLである、請求項4に記載の方法。
【請求項６】
培地及び/又は感染細胞において得られるHEVの高力価が、約107コピー/mL〜約1010コピー/mLである、請求項4に記載の方法。
【請求項７】
試料中のHEVの存在及び/又はレベルを特定する方法であって、
a)細胞株及び培養培地を含む混合物に試料を供給する工程であって、前記細胞株が、ATCC番号  HB-8065で寄託されたHepG2又はATCC番号  CRL-10741で寄託されたHepG2/C3Aであり、前記培養培地が約1μg/mL〜約5μg/mLの濃度のポリブレンを含む、工程;
b)試料中にHEVが存在する場合にHEVの増殖を可能にするために、工程a)からの試料を含む混合物をインキュベートする工程;
c)工程b)の一部分を収集する工程であって、HEVが存在し工程b)の間に増殖した場合、一部分がHEVを含む、工程;並びに
d)収集した一部分中におけるHEVに関連する生物学的物質の存在及び/又はレベルを測定する工程
を含む方法。
【請求項８】
生物学的物質が、HEVのポリヌクレオチド及び/又はポリペプチド配列を含む、請求項7に記載の方法。
【請求項９】
生物学的物質の存在及び/又はレベルを測定する工程が、
a)収集した一部分中にHEVが存在する場合にHEVのポリヌクレオチドを曝露するために、収集した一部分を第一の溶液と混合することによって第一の反応混合物を用意する工程であって、ポリヌクレオチドがHEVのRNAである、工程;
b)HEVのRNAに対して少なくとも部分的に相補的である相補的デオキシリボ核酸(cDNA)を産生するために、第一の反応混合物に第一の試薬を加えることによって第二の反応混合物を用意する工程;
c)1対のポリヌクレオチドのそれぞれに対して少なくとも部分的に相補的であるcDNAの配列を増幅するために、1対のポリヌクレオチドを含む第二の試薬を第二の反応混合物に加えることによって第三の反応混合物を用意する工程;
d)配列を増幅することによって第四の反応混合物を用意する工程; 及び
e)第四の反応混合物中の増幅された配列の濃度を特定する工程
を含む、請求項7に記載の方法。
【請求項１０】
濃度を特定する前記工程が、
a)第四の反応混合物を用意する工程;
b)所定の量のHEVのcDNAを含む1つ又は複数の対照を用意する工程;
c)第四の反応混合物及び1つ又は複数の対照に薬剤を加える工程であって、前記薬剤が、第四の反応混合物中の増幅された配列、及び1つ又は複数の対照中の所定の量のHEVのcDNAに対して少なくとも部分的に特異的である、工程;並びに
d) 1つ又は複数の対照に対する、第四の反応混合物中の薬剤によるHEVの認識のレベルを計算する工程
を含む、請求項9に記載の方法。
【請求項１１】
前記1対のポリヌクレオチドが、
a)5'-CGGCTATCGGCCAGAAGTT-3'(配列番号1)
b)5'-CCGTGGCTATAACTGTGGTCT-3'(配列番号2)
を含む、請求項9に記載の方法。
【請求項１２】
薬剤が、
5'-FAM-TTTTTACGC-ZEN-AGGCTGCCAAGGCC-3IABkFQ-3'(配列番号3)
を含む、請求項10に記載の方法。
【請求項１３】
約1μg/ml〜約5μg/mlの範囲のポリブレン及び細胞株を含む培養培地の使用を含むHEV力価測定アッセイであって、前記細胞株が、ATCC番号  HB-8065で寄託されたHepG2又はATCC番号  CRL-10741で寄託されたHepG2/C3Aである、HEV力価測定アッセイ。
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
計時が可能な計時手段と、
前記計時手段の計時結果に基づいて、特定楽曲および特定映像を含む特定演出を実行する特定演出実行手段と、
特別条件が成立したときに、特別映像を含む特別演出を実行する特別演出実行手段と、
前記特定演出の実行中に前記特別条件が成立した場合に、前記特定楽曲の再生を継続しつつ、前記特定映像に代えて前記特別映像を再生し、前記特別映像に合わせて表示可能な文字情報の少なくとも一部を、視認不可能または視認困難とする演出調整手段とを備え、
前記特別演出実行手段は、遊技者にとって有利な有利状態において前記特別演出を実行する、遊技機。
【請求項２】
前記計時手段は、
第１の計時が可能な第１計時手段と、
第２の計時が可能な第２計時手段とを含み、
前記第１計時手段の計時結果が所定結果になったときに、所定演出を実行する所定演出実行手段をさらに備え、
前記特定演出実行手段は、前記第２計時手段の計時結果が特定結果になったときに、前記特定演出を実行し、
前記特定演出が実行されたことに基づいて、前記第１計時手段の計時結果を初期化する計時初期化手段をさらに備えた、請求項１に記載の遊技機。
【手続補正２】
【補正対象書類名】明細書
【補正対象項目名】０００６
【補正方法】変更
【補正の内容】
【０００６】
（１）  遊技を行なうことが可能な遊技機（パチンコ遊技機１等）であって、
計時が可能な計時手段（演出制御用マイクロコンピュータ１００、図１４のＳ７０２，Ｓ７０３，Ｓ７０７、時間計測タイマ等）と、
前記計時手段の計時結果に基づいて、特定楽曲および特定映像を含む特定演出（特定楽曲の再生および特定動画の再生を複数台のパチンコ遊技機１で一斉に開始する一斉演出をする特定演出等）を実行する特定演出実行手段（演出制御用マイクロコンピュータ１００、図１６のＳ８００、図１８のＳ８２４等）と、
特別条件（大当り遊技状態の実行条件）が成立したときに、特別映像を含む特別演出（楽曲の再生時の歌詩テロップの文字情報が表示される大当り演出映像等）を実行する特別演出実行手段（演出制御用マイクロコンピュータ１００、図１６のＳ８０４〜Ｓ８０７等）と、
前記特定演出の実行中に前記特別条件が成立した場合（〔一斉演出の実行中に大当り遊技演出等の特別演出を実行する場合の制御例〕における演出制御用マイクロコンピュータ１００による特定演出中特別条件判定処理により判定する等）に、前記特定楽曲の再生を継続しつつ、前記特定映像に代えて前記特別映像（大当り演出映像等）を再生し、前記特別映像に合わせて表示可能な文字情報（特別楽曲再生時の歌詩テロップの文字情報等）の少なくとも一部を、視認不可能または視認困難とする（図１９）演出調整手段（〔一斉演出の実行中に大当り遊技演出等の特別演出を実行する場合の制御例〕における演出制御用マイクロコンピュータ１００による演出調整処理等）とを備え、
前記特別演出実行手段は、遊技者にとって有利な有利状態（大当り遊技状態）において前記特別演出を実行する（図１９）。